【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
無線アクセスポイントにおいて、前記無線アクセスポイントを通じてネットワークにアクセスするためのリクエストを第１のユーザのクライアントシステムから受信する工程であって、前記無線アクセスポイントは、エンティティによって運用されている、工程と、
前記無線アクセスポイントが、前記クライアントシステムを一意に識別する一意のコードを含む識別子をソーシャルネットワーキングシステムに送る工程であって、前記ソーシャルネットワーキングシステムは、少なくとも１つのソーシャルグラフを含み、前記ソーシャルグラフは、複数のノードと、前記ノード同士をつなげている複数のエッジとを含み、前記ノードのうちの２つの間におけるエッジの各々は、前記ノード同士の間の関係を表しており、前記複数のノードのうちの第１のノードは、前記第１のユーザに対応する、工程と、
前記無線アクセスポイントにおいて、前記ソーシャルネットワーキングシステムから、前記識別子に基づいて肯定的な認可判定を受信する工程であって、前記第１のユーザに関連付けられているタイムラインが前記第１のユーザが以前に前記エンティティにチェックインしたことを示していることを理由として、前記肯定的な認可が判定される、工程と、
前記肯定的な認可判定に従って、前記無線アクセスポイントを通じた前記ネットワークに対するアクセスを前記クライアントシステムに提供する工程と、を含む方法。
【請求項２】
前記クライアントシステムに関連付けられている前記識別子は、前記クライアントシステムのメディアアクセス制御（ＭＡＣ）アドレスである、請求項１に記載の方法。
【請求項３】
前記クライアントシステムに関連付けられている前記識別子は、前記第１のユーザプロファイルのユーザ名である、請求項１に記載の方法。
【請求項４】
前記リクエストは第１のリクエストであり、前記クライアントシステムは第１のクライアントシステムであり、前記方法は、
前記無線アクセスポイントにおいて、前記無線アクセスポイントを通じて前記ネットワークにアクセスするための第２のリクエストを第２のクライアントシステムから受信する工程であって、前記第２のリクエストは前記第２のクライアントシステムに関連付けられている識別子を含む、工程と、
前記第１のユーザプロファイルが前記第２のクライアントシステムに関連付けられてい
る前記識別子を含むという判定に応答して、前記無線アクセスポイントを通じた前記ネットワークに対するアクセスを前記第２のクライアントシステムに提供する工程と、をさらに含む、請求項１に記載の方法。
【請求項５】
前記肯定的な認可判定が、前記ソーシャルネットワーキングシステムにおける前記複数のユーザプロファイルのうち前記第１のユーザプロファイルおよび第２のユーザプロファイルの間における関係にさらに基づいており、前記第２のユーザプロファイルは前記無線アクセスポイントを運用する者に関連付けられている、請求項１に記載の方法。
【請求項６】
前記無線アクセスポイントが、前記エンティティのウェブページへ前記クライアントシステムをリダイレクトする工程であって、前記エンティティは、前記無線アクセスポイントを運用しており、前記ウェブページは前記ソーシャルネットワーキングシステムによってホストされる、工程をさらに含む、請求項１に記載の方法。
【請求項７】
前記エンティティにチェックインした１以上の他のユーザプロファイルを示す標識を前記クライアントシステムに送る工程であって、前記エンティティは、前記無線アクセスポイントを運用しており、各ユーザプロファイルは、オンライン・ソーシャル・グラフのノードに関連付けられている、工程をさらに含む、請求項３に記載の方法。
【請求項８】
前記無線アクセスポイントが、前記第１のユーザプロファイルとの関係を有するユーザプロファイルを有する１以上のユーザに前記ネットワークに対するアクセスを提供したことを判定する工程と、
前記１以上のユーザを示す標識を前記クライアントシステムに提供する工程と、をさらに含む、請求項１に記載の方法。
【請求項９】
１以上のプロセッサと、
前記プロセッサによって実行可能な命令を含む、前記プロセッサに結合されたメモリと、を備えるシステムであって、前記プロセッサが前記命令を実行するとき、
無線アクセスポイントを通じてネットワークにアクセスするためのリクエストを第１のユーザのクライアントシステムから受信する工程であって、前記無線アクセスポイントは、前記無線アクセスポイントは、エンティティによって運用されている、工程と、
前記クライアントシステムを一意に識別する一意のコードを含む識別子をソーシャルネットワーキングシステムに送る工程であって、前記ソーシャルネットワーキングシステムは、少なくとも１つのソーシャルグラフを含み、前記ソーシャルグラフは、複数のノードと、前記ノード同士をつなげている複数のエッジとを含み、前記ノードのうちの２つの間におけるエッジの各々は、前記ノード同士の間の関係を表しており、前記複数のノードのうちの第１のノードは、前記第１のユーザに対応する、工程と、
前記ソーシャルネットワーキングシステムから、前記識別子に基づいて肯定的な認可判定を受信する工程であって、前記第１のユーザに関連付けられているタイムラインが前記第１のユーザが以前に前記エンティティにチェックインしたことを示していることを理由として、前記肯定的な認可が判定される、工程と、
前記肯定的な認可判定に従って、前記無線アクセスポイントを通じた前記ネットワークに対するアクセスを前記クライアントシステムに提供する工程と、が行われるように構成される、システム。
【請求項１０】
前記クライアントシステムに関連付けられている前記識別子は、前記クライアントシステムのメディアアクセス制御（ＭＡＣ）アドレスである、請求項９に記載のシステム。
【請求項１１】
前記クライアントシステムに関連付けられている前記識別子は、第１のユーザプロファイルのユーザ名である、請求項９に記載のシステム。
【請求項１２】
前記リクエストは第１のリクエストであり、前記クライアントシステムは第１のクライアントシステムであり、前記プロセッサが前記命令を実行するとき、
前記無線アクセスポイントを通じて前記ネットワークにアクセスするための第２のリクエストを第２のクライアントシステムから受信する工程であって、前記第２のリクエストは前記第２のクライアントシステムに関連付けられている識別子を含む、工程と、
前記第１のユーザに関連付けられている第１のユーザプロファイルが前記第２のクライアントシステムに関連付けられている前記識別子を含むという判定に応答して、前記無線アクセスポイントを通じた前記ネットワークに対するアクセスを前記第２のクライアントシステムに提供する工程と、が行われるようにさらに構成される、請求項９に記載のシステム。
【請求項１３】
前記プロセッサが前記命令を実行するとき、前記エンティティのウェブページへ前記クライアントシステムをリダイレクトする工程であって、前記エンティティは、前記無線アクセスポイントを運用しており、前記ウェブページは前記ソーシャルネットワーキングシステムによってホストされる、工程が行われるようにさらに構成される、請求項９に記載のシステム。
【請求項１４】
前記プロセッサが前記命令を実行するとき、前記エンティティにチェックインした１以上の他のユーザプロファイルを示す標識を前記クライアントシステムに送る工程であって、前記エンティティは、前記無線アクセスポイントを運用しており、各ユーザプロファイルは、オンライン・ソーシャル・グラフのノードに関連付けられている、工程が行われるようにさらに構成される、請求項１１に記載のシステム。
【請求項１５】
ロジックを含む１以上の非一時的コンピュータ可読媒体プロセッサであって前記ロジックは、
無線アクセスポイントを通じてネットワークにアクセスするためのリクエストを第１のユーザのクライアントシステムから受信する工程であって、前記無線アクセスポイントは、前記無線アクセスポイントは、エンティティによって運用されている、工程と、
前記クライアントシステムを一意に識別する一意のコードを含む識別子をソーシャルネットワーキングシステムに送る工程であって、前記ソーシャルネットワーキングシステムは、少なくとも１つのソーシャルグラフを含み、前記ソーシャルグラフは、複数のノードと、前記ノード同士をつなげている複数のエッジとを含み、前記ノードのうちの２つの間におけるエッジの各々は、前記ノード同士の間の関係を表しており、前記複数のノードのうちの第１のノードは、前記第１のユーザに対応する、工程と、
前記ソーシャルネットワーキングシステムから、前記識別子に基づいて肯定的な認可判定を受信する工程であって、前記第１のユーザに関連付けられているタイムラインが前記第１のユーザが以前に前記エンティティにチェックインしたことを示していることを理由として、前記肯定的な認可が判定される、工程と、
前記肯定的な認可判定に従って、前記無線アクセスポイントを通じた前記ネットワークに対するアクセスを前記クライアントシステムに提供する工程と、が行われるように構成される、媒体。
【請求項１６】
前記クライアントシステムに関連付けられている前記識別子は、前記クライアントシステムのメディアアクセス制御（ＭＡＣ）アドレスである、請求項１５に記載の媒体。
【請求項１７】
前記クライアントシステムに関連付けられている前記識別子は、前記第１のユーザプロファイルのユーザ名である、請求項１６に記載の媒体。
【請求項１８】
前記リクエストは第１のリクエストであり、前記クライアントシステムは第１のクライ
アントシステムであり、前記ロジックは、
前記無線アクセスポイントを通じて前記ネットワークにアクセスするための第２のリクエストを第２のクライアントシステムから受信する工程であって、前記第２のリクエストは前記第２のクライアントシステムに関連付けられている識別子を含む、工程と、
第１のユーザプロファイルが前記第２のクライアントシステムに関連付けられている前記識別子を含むという判定に応答して、前記無線アクセスポイントを通じた前記ネットワークに対するアクセスを前記第２のクライアントシステムに提供する工程であって、前記第１のユーザプロファイルは、前記第１のユーザに関連付けられている、工程と、が行われるようにさらに構成される、請求項１６に記載の媒体。
【請求項１９】
前記ロジックは、前記エンティティのウェブページへ前記クライアントシステムをリダイレクトする工程であって、前記エンティティは、前記無線アクセスポイントを運用しており、前記ウェブページは前記ソーシャルネットワーキングシステムによってホストされる、工程が行われるようにさらに構成される、請求項１６に記載の媒体。